(57)【要約】【課題】簡単な構造で、化粧パネルのバックライトとしての透過照明機能と、図柄変動リールへ照射する反射照明機能と、両立でき、図柄変動リールへの余計の絵や文字等の写り込みを防止する。【解決手段】表示窓３１４の直上に配設され、表示パネル部３１２の絵や文字を透過するためのバックライト部１００を、蛍光灯１０２とこの蛍光灯１０２の周囲に配設した光分離部材１１０とで構成する．蛍光灯１０２から照射された光のほとんどを表示パネル部３１２の裏面へ案内すると共に、光分離部材１１０を薄肉として、蛍光灯１０２から照射される光の一部を意図的に透過させ、リール３５０Ａ、３５０Ｂ、３５０Ｃの照明用として利用することで、光分離部材１１０の肉厚寸法に応じた光量の光をリール３５０Ａ、３５０Ｂ、３５０Ｃへ案内することができ、適正な光量で照明することができる。【選択図】　　　　図４
2004016321.tif 000002
【特許請求の範囲】
【請求項１】
本体に少なくとも図柄を表示する表示装置が設けられ、当該表示装置の一部が前記本体の前面側の開閉カバーに設けられた開口部から視認可能とされた遊技機であって、
前記図柄を視認可能とする前記開口部を含む複数の開口部に取り付けられた化粧パネルと、
前記開口部に対応配置され、前記化粧パネルを裏面側から光を照射して当該化粧パネルに図柄を透過する透過照明機能を備えた光源と、
前記光源と前記図柄変動リールとの間に介在され、前記光源から照射される光を前記化粧パネルの裏面へ案内すると共に、前記図柄変動リールの図柄面に照射する照明機能として透過させる光分離部材と、
を有する遊技機。
【請求項２】
前記反射光と透過減光との分離が、前記光分離部材の肉厚寸法によって定められていることを特徴とする請求項１記載の遊技機。
【請求項３】
前記光分離部材が、前記透過減光の特定の色素をカットするカットフィルタ機能を備えていることを特徴とする請求項１又は請求項２記載の遊技機。
【発明の詳細な説明】
【０００１】
【発明の属する技術分野】
本発明は、本体に少なくとも図柄を表示する表示装置が設けられ、当該表示装置の一部が前記本体の前面側の開閉カバーに設けられた開口部から視認可能とされた遊技機に関するものである。
【０００２】
【従来の技術及び発明が解決しようとする課題】
従来より、遊技機、特にパチスロ機では、始動レバーを操作することで、抽選を実行し、周面に複数の図柄が表示された複数列（通常３列）の図柄変動リール（表示装置）を回転させるようにしている。なお、上記のような図柄変動リールを回胴式といい、表示装置としては、この回胴式の他、ベルト駆動式のものや、液晶表示式、７セグメント又はドットマトリクスＬＥＤ表示式のものもある。以下、回胴式の図柄変動リールを例にとり説明する。
【０００３】
遊技機本体の前面には開閉カバーが設けられ、この開閉カバーには矩形状の開口部が設けられ、透明の表示窓が取り付けられている。前記図柄変動リールの一部は、この表示窓から遊技者が視認可能となっている。視認される図柄の形態としては、変動、停止、仮停止等がある。
【０００４】
ここで、従来、図柄変動リールを見易くするために、図柄変動リールを設置環境に合わせて適度な明るさにする必要がある。そこで、図柄変動リールの周面に貼り付けられるリールテープに透過性を持たせ、図柄変動リールの内側に設けたバックライト（ランプ又はＬＥＤ等）を点灯することで、図柄によって定まる透過度合いによって、図柄を透過表示している。これにより、遊技者にとって図柄が見易くなり、所謂目押しの確実性を増すことができる。
【０００５】
一方、表示窓付化粧パネルの上部には、専用のバックライトが設けられている。このバックライトからの光は、表示窓付化粧パネルに描かれた絵や文字等を透過する。これにより、当該パチスロ機の特有の図柄等が遊技者に見易くなり、装飾効果を高めている。
【０００６】
ところが、前記バックライトの光が、図柄変動リールの図柄に到達し、図柄変動リールへの光が過剰になり過ぎて、図柄がかえって見ずらくなる、逆効果をもたらしている。
【０００７】
上記問題点を解消するため、様々な提案、工夫がなされている。以下、それぞれについての構成を説明する。
【０００８】
▲１▼　冷陰極管構造
図６に示される如く、表示窓付表示窓２００のバックライト用の光源として、明るさを適度に設定した冷陰極管２０２を用いることが考えられる。このような冷陰極管２０２では、図柄変動リール２０４を適度に明るくするような光の強さに予めカスタマイズ設定できるが、この冷陰極管２０２からの光が図柄変動リール２０４に写り込んだり、当該光が表示窓付化粧パネル２００の裏面で反射し、この表示窓付化粧パネル２００に描かれた（印刷された）絵や文字等の図柄２０６が図柄変動リール２０４の表面に写り込んで、もともと図柄変動リール２０４に設けられた図柄と重なって、見にくくなるという問題点がある。
【０００９】
また、冷陰極管２０２はカスタマイズ製品であるため、汎用、規格性の高い蛍光灯に比べてコスト高となる。さらに、蛍光灯に比べて構造がもろく、組み付け作業や保守作業時に破損する可能性が高い。
【００１０】
▲２▼遮蔽部材構造
図７に示される如く、表示窓付化粧パネル２００のバックライトとして、図柄変動リールの全体幅寸法に合わせた長さを基準に設定した蛍光灯２０８（８Ｗ〜１０Ｗ）を適用し、蛍光灯２０８と図柄変動リール２０４との間に金属製の遮蔽部材２１０を設けている。遮蔽部材２１０は、リフレクター（反射板）の機能を持ち、蛍光灯２０８から照射される光のほとんどを表示窓付化粧パネル２００へ案内している。これにより、光を直接図柄変動リール２０４に当てず、遮蔽部材２１０から漏れた光を利用して、間接的に図柄変動リール２０４を照明することができる。
【００１１】
ところが、上記遮蔽部材構造では、蛍光灯２０８からの光によって表示窓付化粧パネル２００に描かれた絵や文字の図柄２０６が反射して、図柄変動リール２０４に写り込み、図柄が見ずらくなると共に、美観を損ねている。
【００１２】
▲３▼光源遠隔構造
図８に示される如く、表示窓付化粧パネル２００と、この表示窓付化粧パネル２００の上部にある化粧パネル２１２（以下、上部化粧パネル２１２という）との両方を照明するバックライトとして、図柄変動リールの全体幅寸法に合わせた長さを基準に設定した蛍光灯２０８（８Ｗ〜１０Ｗ）を適用し、蛍光灯２０８を上部化粧パネル２１２と対向配置し、図柄変動リール２０４から離すと共に、前記▲２▼の遮蔽部材２１０を設けた構造を併用している。
【００１３】
しかしながら、表示窓付化粧パネル２００の上部に描かれた絵や文字等の図柄２０６を照明する以上、蛍光灯２０８からの光によって表示窓付化粧パネル２０６に描かれた図柄２０６が反射して、図柄変動リール２０４に写り込み、図柄が見ずらくなると共に、美観を損ねている。
【００１４】
また、上部化粧パネル２１２にも照明していることから、この上部化粧パネル２１２の裏面側に別途ＬＥＤやＬＣＤ等の装置を設ける空間がなくなり、設計上の制限が増大するという問題点がある。
【００１５】
▲４▼　フィルム巻付構造
図９に示される如く、表示窓付化粧パネル２００のバックライトとして、蛍光灯２０６を適用し、この蛍光灯２０８の周面に半透明のフィルム２１４を巻き付けた構造としている。この半透明のフィルム２１４の透過率を最適なものとすることで、適度な光量を得ることができる。
【００１６】
ところが、蛍光灯２０８の交換の際に、半透明のフィルム２１４をその都度着脱しなければならず、メンテナンス作業性が大幅に軽減する。また、半透明のフィルム２１４は、蛍光灯２０８からの熱によって劣化し、経時的に光量が変化したり、部分的にくすんだりすることがあり、表示窓付化粧パネル２００から透過する光にむらを発生させる原因となる。
【００１７】
▲５▼　複数光源構造
その他、関連技術として、表示窓付化粧パネルの裏面に複数の光源を設け、点滅操作のタイミングを同期させたり、複数の光源を色分けし、視覚的な演出を行なう構造が提案されている（特開平１１−１９７２９０号公報、特開平９−２７１５５９号公報参照）。この技術を用いれば、光源を複数持つことで、光量の制御も容易であり、所謂スポット的に必要な領域に光を照射することも可能となる。
【００１８】
しかしながら、遊技演出の視覚上の装飾効果に優れている反面、部品点数が多く、構造が複雑となる。従って、単一の光源によって、表示窓付化粧パネルのバックライトとして、並びに、適度な光量による図柄変動リールへの照明を行ない、かつ図柄変動リールへの他の絵や文字等の写り込みをなくす構造には至っていない。
【００１９】
本発明は上記事実考慮し、簡単な構造で、化粧パネルのバックライトとしての透過照明機能と、図柄変動リールへ照射する照明機能と、両立でき、図柄変動リールへの光の写り込み、並びに余計の絵や文字等の写り込みを防止することができる遊技機を得ることが目的である。
【００２０】
【課題を解決するための手段】
請求項１に記載の発明は、本体に少なくとも図柄を表示する表示装置が設けられ、当該表示装置の一部が前記本体の前面側の開閉カバーに設けられた開口部から視認可能とされた遊技機であって、前記図柄を視認可能とする前記開口部を含む複数の開口部に取り付けられた化粧パネルと、前記開口部に対応配置され、前記化粧パネルを裏面側から光を照射して当該化粧パネルに図柄を透過する透過照明機能を備えた光源と、前記光源と前記図柄変動リールとの間に介在され、前記光源から照射される光を前記化粧パネルの裏面へ案内すると共に、前記図柄変動リールの図柄面に照射する照明機能として透過させる光分離部材と、を有している。
【００２１】
請求項１記載の発明によれば、光源から照射された光は、化粧パネルの裏面からこの化粧パネルに描かれた絵や文字等の図柄を透過する。これにより、遊技者は、図柄の透過率に対応した鮮明な図柄を見ることができる。
【００２２】
ここで、この光源からの光は、光分離部材によって放射状に拡散されていく光を集光し、化粧パネルの裏面に案内されるため、光を有効に利用することができる。
【００２３】
さらに、この光分離部材は、透過性を有しており、光源から照射された光の一部が透過して、図柄変動リールの図柄面に照射している（照明機能）。すなわち、図柄変動リールに強い光をあてると逆に見にくくなり、単純に光源のリフレクタ等から漏れた光を利用すると、化粧パネルの図柄が写り込み、見にくくなる。そこで、光分離部材から透過した光、すなわち減光された光を図柄変動リールに照射することで、適度な光量を図柄変動リールに与えることができ、図柄変動リールの図柄を飛躍的に見易くすることができる。
【００２４】
請求項２に記載の発明は、前記請求項１に記載の発明において、前記反射光と透過減光との分離が、前記光分離部材の肉厚寸法によって定められていることを特徴としている。
【００２５】
請求項２に記載の発明によれば、光分離部材を透過する光の量は、光分離部材の肉厚寸法によって設定できるため、光源の光量を変更する必要がなく、例えば、市販の安価な蛍光灯を利用することができる。
【００２６】
請求項３に記載の発明は、前記請求項１又は請求項２に記載の発明において、前記光分離部材が、前記透過減光の特定の色素をカットするカットフィルタ機能を備えていることを特徴としている。
【００２７】
請求項３に記載の発明によれば、光分離部材に所定の色素を加えることで、透過する光の特定の色素がカットされ、カットフィルタ効果となって、演出効果を増大することができる。
【００２８】
【発明の実施の形態】
図１に示される如く、パチスロ機３００は、本体３０２と、本体３０２の正面に設けられた開閉カバーとしての操作兼装飾部３０３と、で構成されている。
【００２９】
操作兼装飾部３０３は、本体３０２に対して図２の左端を中心に回動することで開閉可能となっている。
【００３０】
操作兼装飾部３０３は、上から装飾部３０４、操作部３０６、払出部３１０とに分類することができる。
【００３１】
装飾部３０４は、内部で後述するバックライト部１００（図４参照）が点灯することで、印刷された絵や文字が透過する化粧パネルとしての表示パネル部３１２が取り付けられている。また、装飾部３０４の一部として、前記装飾部３０４をアーチ状に囲む立体的な電飾部３０４Ａも設けられている。
【００３２】
装飾部３０４の表示パネル部３１２の中央は、表示窓３１４とされている。表示窓３１４は、前記表示パネル部３１２と一体成型される透明領域で構成されている。
【００３３】
この表示窓３１４の内部には、図柄変動部３１６が設けられ、図２に示される如く、３個のリール３５０Ａ、３５０Ｂ、３５０Ｃ（以下、総称する場合はリール３５０という）が回転するようになっている。表示パネル部３１２における表示窓３１４の左部には、指標部３１８（図３参照）となっており、表示窓３１４に揃う図柄の状態（列数等）を案内表示している。
【００３４】
また、表示窓３１４の下部には、図２の左から順番にメダル払出枚数を表示する７セグメント表示部３１５Ａ、ジャックゲーム残回数や遊技状態の設定（６段階）表示等を行なう表示部３１５Ｂ、クレジット枚数を表示する７セグメント表示部３１５Ｃが設けられている。
【００３５】
操作部３０６は、略Ｌ字型に屈曲された上面部と前面部とに分けられており、上面部の図２の右端部にはメダル投入部３２０が設けられ、また図２の左端部からは順にキャンセルボタン３５５、１枚ベットボタン３５２Ａ、マックスベットボタン３５２Ｂが設けられている。また、前面部の図２の左端部からは、順に始動レバー３５４、停止ボタン３５６Ａ、３５６Ｂ、３５６Ｃ等が設けられている。
【００３６】
払出部３１０は、メダル排出口３２６と、このメダル排出口３２６から排出されるメダルを受取る受け皿３２８とで構成されている。
【００３７】
図３に示される如く、図柄変動部３１６は、３個のリール３５０Ａ、３５０Ｂ、３５０Ｃは、回転することで図柄が順次前記表示窓３１４から見えるようになり、表示窓３１４の横並びの中央の行に停止した図柄が基本停止図柄となる。なお、この基本停止図柄は、１枚のメダルを投資した場合であり、最大１回のゲームで３枚のメダルを投資でき、この場合は、上行と下行上に停止している図柄、並びに２本の対角線上に停止している図柄が順次メダルの投資数に応じて組み合わせ停止図柄として採用されるようになっている。
【００３８】
前記停止ボタン３５６Ａ、３５６Ｂ、３５６Ｃは、図柄変動部３１６下部に設けられており、各リール３５０Ａ、３５０Ｂ、３５０Ｃに対応している。すなわち、対応するそれぞれのリール３５０Ａ、３５０Ｂ、３５０Ｃの回転を遊技者による停止ボタン３５６Ａ、３５６Ｂ、３５６Ｃの操作で停止させることができる。
【００３９】
また、この停止ボタン３５６Ａ、３５６Ｂ、３５６Ｃの左側に設けられた始動レバー２０を操作（傾倒）することで、各リール３５０Ａ、３５０Ｂ、３５０Ｃが回転を開始するようになっている。なお、この回転は、通常は３個のリール３５０Ａ、３５０Ｂ、３５０Ｃが同時に回転を開始するようになっている。
【００４０】
また、この始動レバー３５４による操作タイミングは、当たり抽選のタイミングとなっており、始動レバー３５４の操作によって、内部のコントローラでは当たり／外れが決定するようになっている。
【００４１】
ここで、抽選が当たりの場合は、フラグ成立となり、その後に当たり図柄が揃うと、当たりとなって、遊技者に有利な状態となる。なお、当たりには大当たり（ビッグボーナス）と通常当たり（レギュラーボーナス）とがあり、それぞれ遊技者に有利な状態の度合いが異なる。当然ビッグボーナスの方がレギュラーボーナスよりも有利である。
【００４２】
前記表示パネル部３１２は、リール３５０Ａ、３５０Ｂ、３５０Ｃに設けられた一部の図柄を露出しつつ（表示窓３１４）、パチスロ機３００の内外を遮蔽し、特にリール３５０及びその周辺機器を保護する役目を有している。
【００４３】
図４及び図５には、この表示パネル部３１２を裏面から照明するバックライト部１００が示されている。
【００４４】
バックライト部１００には、光源としての蛍光灯１０２が略水平（図３の正面に向かって左右方向）に配設され、その両端部がそれぞれソケット１０４によって保持されている。ソケット１０４は、一方が操作兼装飾部３０３のパネル保持部材１０５の背面側に固定されクランク状に屈曲されたブラケット１０６に他方に固定されている。
【００４５】
このブラケット１０６は、前記蛍光灯１０２のソケット１０４を支持するのみならず、この蛍光灯１０２の背面側、すなわち表示パネル部３１２が向けられた側とは反対側において、ビス１０８によって光分離部材１１０が取付られている。この光分離部材１１０は、蛍光灯１０２の軸線方向に亘って配設される共に、前記蛍光灯の背面側から図４の下方向に回り込むように断面が略Ｌ字型となっている。屈曲部は所定の曲率半径の円弧状とされている。
【００４６】
光分離部材１１０における下方向への回り込み先端部は、表示パネル部３１２の裏面側との間で所定の隙間をもっている。実際には、この隙間は表示パネル部３１２の裏面に当たらないように、設計上のクリアランスとして１ｍｍ程度である。当該隙間を１ｍｍ以上とすると、蛍光灯１０２の光がこの隙間から漏れ易く、１ｍｍ以下とすると、表示パネル部３１２に光分離部材１１０の影が映り、美観を損ねる恐れがあるため、この漏光並びに美観の双方の観点からも１ｍｍのクリアランスが最適である。なお、この隙間からは、実質的に光が漏れたとしてもリール３５０Ａ、３５０Ｂ、３５０Ｃの周面には至らないようになっている。
【００４７】
光分離部材１１０は、その肉厚寸法が、蛍光灯１０２の明るさ、並びにリール３５０Ａ、３５０Ｂ、３５０Ｃの周面を照明するための明るさに基づいて設定されており、本実施の形態では、約２ｍｍ程度の薄肉構造となっている。
【００４８】
なお、光分離部材１１０における略Ｌ字型に屈曲された外周面に複数のリブ１１２が形成されている。このリブ１１２により剛性が保たれ、捩れや変形等を防止している。
【００４９】
ここで、蛍光灯１０２が照射されると、その光は管状の蛍光灯１０２から放射方向に照射されるため、一部は直接表示パネル部３１２の裏面から正面に透過する光となる。また、光分離部材１１０に囲まれた領域へ照射される光は、この光分離部材１１０の内周面で反射されて、前記表示パネル部３１２へと案内される。これにより、蛍光灯１０２から照射されるほとんどの光を表示パネル部３１２へと向けることができ、効率よく透過光として利用することができる。
【００５０】
一方、光分離部材１１０は、前述の如く薄肉構造（約２ｍｍの肉厚寸法）であるため、蛍光灯１０２から照射される光の一部がこの薄肉部分を透過して、リール３５０Ａ、３５０Ｂ、３５０Ｃの周面へ至るようになっている。
【００５１】
ここで、リール３５０Ａ、３５０Ｂ、３５０Ｃへの照明は、暗いと図柄の確認ができにくく、また、明るすぎても見ずらい。さらに、本実施の形態では、省略したが、リール３５０Ａ、３５０Ｂ、３５０Ｃの内部から図柄を透過するような光源を別途設けている場合には、図柄を見易すくするための蛍光灯１０２の光量の調整単位を細かくする必要がある。
【００５２】
このため、本実施の形態では、蛍光灯１０２からの光が直接リール３５０Ａ、３５０Ｂ、３５０Ｃに届かないように、光分離部材１１０を蛍光灯１０２に巻き込むように配置した。また、蛍光灯１０２から表示パネル部３１２の裏面に照射され、本来は前面側に透過されるべき光の一部が反射され、この反射光がリール３５０Ａ、３５０Ｂ、３５０Ｃの周面に届いて表示パネル部３１２の絵や文字が写り込まないように、光分離部材１１０の屈曲先端を表示パネル部３１２に近づけて配置している（約１ｍｍの隙間）。
【００５３】
上記構成により、リール３５０Ａ、３５０Ｂ、３５０Ｃには、蛍光灯１０２の明るさ（一般に、細かい制御はできず、市販の規格化された８Ｗ〜１０Ｗ程度の明るさ）と、光分離部材１１０の肉厚寸法によって制御された適正な明るさの光のみが到達するため、表示窓３１４からの図柄の視認性を確保している。
【００５４】
以下に本実施の形態の作用を説明する。
（遊技の流れ）
遊技の手順は、まず、メダルが投入済であり、１枚ベットボタン３５２Ａ、マックスベットボタン３５２Ｂによるベットが完了すると、始動レバー３５４を操作する。この時点で当り／外れの抽選がなされ、当りの場合には内部制御的にフラグの成立となる。また、既に、フラグが成立している場合は抽選は実行されない。
【００５５】
この始動レバー３５４の操作後は、リール３５０Ａ、３５０Ｂ、３５０Ｃが回転を開始する。このとき、３個のリール３５０Ａ、３５０Ｂ、３５０Ｃの回転開始時期は、前記抽選の結果に基づく期待値によって異なるように制御される。なお、この回転開始時期の変更制御については後述する。
【００５６】
遊技者は、停止ボタン３５６Ａ、３５６Ｂ、３５６Ｃを操作することで、リール３５０Ａ、３５０Ｂ、３５０Ｃの回転を停止させるが、前記フラグが成立している場合には、的確な目押しタイミングによって当たり図柄を停止させることができる。また、多少の停止操作タイミングのずれはスベリによって矯正される。逆に、フラグが成立していない場合には、目押しを行っても、リール３５０Ａ、３５０Ｂ、３５０Ｃの回転にスベリを生じさせ、当り図柄では停止しないようにする。
【００５７】
前記停止操作によって停止したリール３５０Ａ、３５０Ｂ、３５０Ｃの表示図柄が、当たり図柄で揃った場合には、ボーナスゲーム制御を実行する。
（表示パネル部並びにリール図柄の照明）
本実施の形態における表示パネル部３１２はバックライト部１００からの光が透過することによって、表示パネル部３１２に描かれた絵や文字を浮き立たせる演出を行っている。特に、表示窓３１４の上部にある絵や文字は、蛍光灯１０２からの直接光と、この蛍光灯１０２の周囲に設けられた光分離部材１１０の内周面から反射する光とで照射されるため、蛍光灯１０２の光が有効に利用される。このため、必要以上に大型の蛍光灯１０２を配設する必要がなくなり、設置スペースをコンパクトにすることができる。
【００５８】
また、この光分離部材１１０は、その肉厚寸法が、蛍光灯１０２の明るさと、リール３５０Ａ、３５０Ｂ、３５０Ｃへの照射するのに必要な明るさとに基づいて設定されている。すなわち、蛍光灯１０２から照射される光のほとんどは、その内周面によって反射されて表示パネル部３１２へと至るが、一部は肉厚部分を透過する。本実施の形態では、市販の８Ｗ〜１０Ｗ程度の蛍光灯１０２が用いられており、この明るさの設定は、規格化されているため、細かい制御はできない。
【００５９】
一方、リール３５０Ａ、３５０Ｂ、３５０Ｃへ照射するための光は、暗すぎると見えず、明るすぎると反射光によって図柄が打ち消され、見ずらくなる。また、リール３５０Ａ、３５０Ｂ、３５０Ｃの内側に別途照明装置があるような場合には、図柄を見易すくするための蛍光灯１０２の光量の調整単位を細かくする必要がある。
【００６０】
このため、光分離部材１１０の肉厚寸法の制御によって、蛍光灯１０２からの光の量を制限し、適度な明るさの光でリール３５０Ａ、３５０Ｂ、３５０Ｃを照明することができる。
【００６１】
また、従来、蛍光灯１０２から表示パネル部３１２の裏面に至り、この裏面で一部が反射して、リール３５０Ａ、３５０Ｂ、３５０Ｃに絵や文字が写り込むことがあったが、本実施の形態では、光分離部材１１０は、蛍光灯１０２の背面から下面へ回り込むように屈曲されており、この屈曲先端部をできるだけ表示パネル部３１２の裏面に近づけている（約１ｍｍの隙間）。
【００６２】
このため、表示パネル部３１２からの反射光が漏れることはなく、リール３５０Ａ、３５０Ｂ、３５０Ｃへ到達することがない。これにより、表示パネル部３１２の絵や文字の写り込みを防止することができる。
【００６３】
以上説明したように本実施の形態では、表示パネル部３１２の裏面、特に表示窓３１４の直上に配設され、表示パネル部３１２の絵や文字を透過するためのバックライト部１００を、蛍光灯１０２とこの蛍光灯１０２の周囲に配設した光分離部材１１０とで構成することで、蛍光灯１０２から照射された光のほとんどを表示パネル部３１２の裏面へ案内し、透過光として利用すると共に、光分離部材１１０を薄肉として、蛍光灯１０２から照射される光の一部を意図的に透過させるようにした。この光分離部材１１０を透過した光を、リール３５０Ａ、３５０Ｂ、３５０Ｃの照明用として利用することで、光分離部材１１０の肉厚寸法に応じた光量の光をリール３５０Ａ、３５０Ｂ、３５０Ｃへ案内することができ、適正な光量でリール３５０Ａ、３５０Ｂ、３５０Ｃを照明することができる。
【００６４】
なお、本実施の形態では、光分離部材１１０を形成する材質や色について特定はしなかったが、材質としてはＡＢＳ樹脂が適用可能である。ＡＢＳ樹脂を適用した理由は、ある程度の透過性があり、成形も容易であるからである。また、ＡＢＳ樹脂の無垢の色はベージュ色であり、この色で十分な照明効果があるが、白色としてもよい。白色とすることで、本来の機能である反射率を確実に得ることができる。また、ＡＢＳ樹脂に色素を混ぜ合わせることで、色分解フィルタとしての機能を持たせ、透過光の色を任意の色とすることが可能である。
【００６５】
また、別途、光分離部材の背面側等にフィルム状のカットフィルタを配設し、これを入れ替えることで、色に変化を持たせてもよい。
【００６６】
さらに、光分離部材の表裏面の少なくとも何れか一方を意図的に凹凸形状として、光を拡散するようにしてもよい。
【００６７】
また、本実施の形態では、光分離部材１１０の肉厚寸法を２ｍｍとしたが、この数値に限定されるものではなく、薄くすればリール３５０Ａ、３５０Ｂ、３５０Ｃへ至る光量が増え、厚くすればリール３５０Ａ、３５０Ｂ、３５０Ｃへ至る光量が減るというように、肉厚寸法に対する光量が相関関係をもって増減するため、適正な肉厚寸法を設定すればよい。
【００６８】
さらに、本実施の形態では、回胴式の遊技機の代表としてパチスロ機３００を例にとり説明したが、図１０に示すようなパチンコ球を遊技媒体として用いた遊技機４００であっても、同様の構造をとることができる。
【００６９】
以下、このような遊技機４００の構成について説明するが、図２に示したパチスロ機３００の構成と同一の構成部分については、同一の符号を付して構成の説明を省略する。
【００７０】
図１０に示される如く、停止ボタン３５６Ａ、３５６Ｂ、３５６Ｃの上部にはパチンコ球を貯留可能な上皿４０２が設けられ、その下部に同じくパチンコ球を貯留可能な下皿４０４が設けられている。上皿４０２には、１枚ベットボタン３５２Ａ、マックスベットボタン３５２Ｂの操作に応じて、所定数のパチンコ球を回収する機構が設けられている。また、この上皿４０２には、遊技の結果に応じてパチンコ球が賞球されるようになっている。なお、上皿４０２が満杯となると、自動的にパチンコ球が下皿４０４へオーバーフローされるようになっている。
【００７１】
この遊技機４００では、メダルの代わりにパチンコ球によって遊技が可能であるため、パチンコ機との併設の際に遊技者は単一種の遊技媒体に異なる遊技機での遊技が可能となる。
【００７２】
【発明の効果】
以上説明した如く本発明では、簡単な構造で、化粧パネルのバックライトとしての透過照明機能と、図柄変動リールへ照射する照明機能と、両立でき、図柄変動リールへの光の写り込み、並びに余計の絵や文字等の写り込みを防止することができるという優れた効果を有する。
【図面の簡単な説明】
【図１】本実施の形態に係るパチスロ機の斜視図である。
【図２】本実施の形態に係るパチスロ機の正面図である。
【図３】本実施の形態に係る表示部及び操作部の拡大正面図である。
【図４】操作兼装飾部及びリールを側面から見た断面図である。
【図５】操作兼装飾部の背面図である。
【図６】従来例▲１▼に係るバックライト構造の概略側面図である。
【図７】従来例▲２▼に係るバックライト構造の概略側面図である。
【図８】従来例▲３▼に係るバックライト構造の概略側面図である。
【図９】従来例▲４▼に係るバックライト構造の概略側面図である。
【図１０】変形例に係る遊技の正面図である。
【符号の説明】
１００　　バックライト部
１０２　　蛍光灯（光源）
１０４　　ソケット
１０６　　ブラケット
１０８　　ビス
１１０　　光分離部材
１１２　　リブ
３００　　パチスロ機（遊技機）
３０３　　操作兼装飾部
３１２　　表示パネル部（化粧パネル）
【図１】
2004016321.tif 000003
【図２】
2004016321.tif 000004
【図３】
2004016321.tif 000005
【図４】
2004016321.tif 000006
【図５】
2004016321.tif 000007
【図６】
2004016321.tif 000008
【図７】
2004016321.tif 000009
【図８】
2004016321.tif 000010
【図９】
2004016321.tif 000011
【図１０】
2004016321.tif 000012